(57)【要約】【課題】液晶パネルを支持するクッション材が液晶パネルの表示面から見えないようにして表示の品質を向上させた液晶モジュールを提供する。【解決手段】光拡散板５の少なくとも相対向する長辺沿いに一体成形した枠部５ａをリアフレーム１の相対向する長辺沿いの側板１ｄに載置して光拡散板５を取付け、光拡散板５の枠部５ａに沿って内側に配置したクッション材６で液晶パネル８の上下の端縁部を支持させると共に、クッション材６に近づくほど高さを増すクッション材隠蔽用のスロープ部５ｃを、クッション材６に沿って、光拡散板５のクッション材より内側の表面に隆起させて一体成形した構成の液晶モジュールとする。液晶パネル８の表示面の視野角の範囲を示す仮想線に沿って見たとき、スロープ部５ｃによってクッション材６を隠蔽し、スロープ部５ｃから放出される拡散光が目に入って、クッション材６が見えないようにする。【選択図】図２
2010282038.tif 000002
【特許請求の範囲】
【請求項１】
液晶パネルの裏面側に合成樹脂製の光拡散板を配置した液晶モジュールであって、光拡散板の少なくとも相対向する長辺沿いに一体成形した枠部をリアフレームの相対向する長辺沿いの側板に載置して光拡散板を取付け、光拡散板の枠部に沿って内側に配置したクッション材で液晶パネルの上下の端縁部を支持させると共に、クッション材に近づくほど高さを増すクッション材隠蔽用のスロープ部を、クッション材に沿って、光拡散板のクッション材より内側の表面に隆起させて一体成形したことを特徴とする液晶モジュール。
【請求項２】
上記スロープ部の頂部が、液晶パネルの表示面の視野角の範囲を示す仮想線から外側へ突き出していることを特徴とする請求項１に記載の液晶モジュール。
【請求項３】
上記光拡散板のスロープ部を一体成形した箇所の裏面に凹入部を形成したことを特徴とする請求項１又は請求項２に記載の液晶モジュール。
【請求項４】
上記スロープ部の斜面と上記光拡散板の表面との屈曲部分にアールを付けたことを特徴とする請求項１ないし請求項４のいずれかに記載の液晶モジュール。
【発明の詳細な説明】
【技術分野】
【０００１】
本発明は、テレビ、パソコンその他の電子機器に組み込まれる液晶モジュールに関し、特に、液晶パネルの裏面側に配置される合成樹脂製の光拡散板と、該光拡散板をリアフレームに固定する合成樹脂製の枠部品とを一体成形した場合に生じる問題を解決できるようにした液晶モジュールに関する。
【背景技術】
【０００２】
従来の一般的な液晶モジュールは、冷陰極管などの光源を収容したリアフレームの側板に、液晶パネルの裏面側に配置される光拡散板などの端縁部を重ね、合成樹脂製の枠部品（セルガイド）で光拡散板などの端縁部を押えてリアフレームに固定している。
【０００３】
これに対し、部品点数及び組立工数を減らしてコストダウンを図るために、光拡散板と合成樹脂製の枠部品（セルガイド）を一体成形した液晶モジュールも開発されている。かかる液晶モジュールにおいては、図９に示すように、光拡散板１０５の一体成形された枠部１０５ａの内側にクッション材１０６を配置し、このクッション材１０６によって液晶パネル１０８の端縁部を支持させている。
【０００４】
また、拡散板の周囲に枠体を一体成形し、この枠体で液晶パネルの周縁部を直接支持させるようにした液晶表示装置（特許文献１）や、拡散板と上フレーム周縁部を一体成形した拡散板一体型上フレームを使用し、該フレームの支持段部で液晶パネルの周縁部を支持させるようにした直下型バックライト（特許文献２）も提案されている。
【先行技術文献】
【特許文献】
【０００５】
【特許文献１】特開２００１−７５４９０号公報
【特許文献２】特開２００４−１９２９１２号公報
【発明の概要】
【発明が解決しようとする課題】
【０００６】
しかしながら、図９に示すように光拡散板１０５の枠部１０５ａの内側にクッション材１０６を配置して液晶パネル１０８の端縁部を支持させた従来の液晶モジュールでは、クッション材１０６が液晶パネル１０８の表示面の視野角の範囲を示す仮想線Ｌ１の内側に突入することが多いため、液晶パネル１０８の表示面からクッション材１０６が見えてしまい、表示の品質が低下するという問題があった。かかる問題は、液晶パネル１０８の表示範囲の端を示す仮想線Ｌ２から液晶パネル１０８の端までの寸法が小さくなるほど、クッション材１０６が視野角の範囲を示す仮想線Ｌ１の内側へ大きく突入してよく見えるため、到底無視することはできない。
【０００７】
一方、前記特許文献１の液晶表示装置や前記特許文献２の直下型バックライトは、クッション材で液晶パネルを支持させていないため、液晶パネルの表示面からクッション材が見えることはないが、特許文献１の液晶表示装置では、一体成形された枠体と拡散板との段状屈曲部が液晶パネルの表示面から見えやすくなり、特許文献２の直下型バックライトでは、拡散板一体型上フレームの支持段部と拡散板との段状屈曲部が液晶パネルの表示面から見えやすくなるので、やはり表示の品質が低下するという問題があった。
【０００８】
本発明は上記事情の下になされたもので、その解決しようとする課題は、液晶パネルを支持するクッション材が液晶パネルの表示面から見えないようにして表示の品質を向上させた液晶モジュールを提供することにある。
【課題を解決するための手段】
【０００９】
上記課題を達成するため、本発明に係る液晶モジュールは、液晶パネルの裏面側に合成樹脂製の光拡散板を配置した液晶モジュールであって、光拡散板の少なくとも相対向する長辺沿いに一体成形した枠部をリアフレームの相対向する長辺沿いの側板に載置して光拡散板を取付け、光拡散板の枠部に沿って内側に配置したクッション材で液晶パネルの上下の端縁部を支持させると共に、クッション材に近づくほど高さを増すクッション材隠蔽用のスロープ部を、クッション材に沿って、光拡散板のクッション材より内側の表面に隆起させて一体成形したことを特徴とするものである。
【００１０】
本発明の液晶モジュールにおいては、上記スロープ部の頂部が、液晶パネルの表示面の視野角の範囲を示す仮想線から外側へ突き出していることが望ましい。  
【００１１】
そして、上記光拡散板のスロープ部を一体成形した箇所の裏面に凹入部を形成することが望ましく、また、上記スロープ部の斜面と上記光拡散板の表面との連接部分にアールを付けることも望ましい。
【発明の効果】
【００１２】
本発明の液晶モジュールは、クッション材で液晶パネルの端縁部を支持しているが、視野角の範囲を示す仮想線に沿って斜めから液晶パネルの表示面を見た場合でも、光拡散板のクッション材より内側の表面に隆起して一体成形されたクッション材隠蔽用のスロープ部によってクッション材が隠蔽され、該スロープ部から放出される拡散光が目に入り、クッション材が見えなくなる。そして、このようなクッション材隠蔽用のスロープ部を光拡散板に一体成形しても、スロープ部の斜面と光拡散板の表面との屈曲角度が鈍角で、屈曲エッジが見えることがなく、また、スロープ部によって液晶パネルの表示面に輝度のバラツキなどの悪影響が出ることもない。従って、本発明の液晶モジュールは、表示の品質を向上させることができる。また、このようなスロープ部が一体成形されていると、クッション材が光拡散板の枠部とスロープ部に挟まれて位置決めされる利点もある。
【００１３】
特に、スロープ部の頂部が、液晶パネルの表示面の視野角の範囲を示す仮想線から外側へ突き出していると、クッション材の視野に入る部分（クッション材の上記仮想線の内側へ突入する部分）がスロープ部によって完全に隠蔽され、全く見えなくなる。
【００１４】
また、光拡散板のスロープ部を隆起させて一体成形した箇所はやや厚肉になるため、光線透過率が局部的に若干低下する可能性もあるが、前記のように、光拡散板のスロープ部を一体成形した箇所の裏面に凹入部を形成すると、その箇所の厚みの増加が抑えられて光線透過率の局部的な低下が防止されるので、表示面に輝度のバラツキが生じる恐れをなくすことができる。
【００１５】
更に、スロープ部の斜面と光拡散板の表面との屈曲部分にアールを付けると、屈曲エッジが消えて液晶パネルの表示面から見えることがないので、表示の品質が一層向上する。
【図面の簡単な説明】
【００１６】
【図１】本発明の一実施形態に係る液晶モジュールの分解斜視図である。
【図２】同液晶モジュールの部分縦断面図である。
【図３】同液晶モジュールの部分横断面図である。
【図４】同液晶モジュールに組み込まれる、枠部を一体成形した光拡散板の部分斜視図である。
【図５】同液晶モジュールの要部拡大断面図である。
【図６】本発明の他の実施形態に係る液晶モジュールの要部拡大断面図である。
【図７】本発明の更に他の実施形態に係る液晶モジュールの要部拡大断面図である。
【図８】本発明の更に他の実施形態に係る液晶モジュールに組み込まれる、枠部を一体成形した光拡散板の平面図である。
【図９】従来の液晶モジュールの部分拡大断面図である。
【発明を実施するための形態】
【００１７】
図１〜図３に例示の液晶モジュールは、大画面の液晶テレビに組み込まれる液晶モジュールであって、リアフレーム１、光反射シート２、Ｕ字状冷陰極管３、ランプホルダー４、光拡散板５、クッション材６、ランプフレーム７、液晶パネル８、ベゼル９ａ，９ｂなどの主要部品で構成されている。
【００１８】
リアフレーム１は、板金を曲げ加工して製作された浅い箱型のリアフレームであって、その内部には光反射シート２が設けられている。そして、この光反射シート２の上には、複数本（この実施形態では５本）のＵ字状冷陰極管３が互いに平行に配設されており、これらのＵ字状冷陰極管３は複数個（この実施形態では６個）のランプホルダー４で支持されている。これらのランプホルダー４は、図１に示すようにＵ字状冷陰極管３を嵌着保持する保持部４ａが形成されたものであって、Ｕ字状冷陰極管３の中央部を保持する４個のランプホルダー４には、光拡散板５を下方から支持して撓みを防止するポスト４ｂが形成されている。
【００１９】
それぞれのＵ字状冷陰極管３の端部にはランプソケット３ａが取付けられており、これらのランプソケット３ａは、リアフレーム１の一方の短辺沿いの側板１ａ（この実施形態では左側の側板）に沿ってリアフレーム１の底板１ｂに形成されたソケット嵌着用開口部１ｃに嵌着されている。そして、それぞれのランプソケット３ａからＵ字状冷陰極管３のリード線（不図示）がリアフレーム１の裏側へ引き出されている。
【００２０】
Ｕ字状冷陰極管３の両端部は、リアフレーム１の左右の短辺沿いの側板１ａ，１ａに取付けられたランプフレーム７，７で隠蔽されており、それによってランプソケット３ａの陰影や明るさのバラツキが解消されている。このランプフレーム７はセルガイドの役目を兼ね備えたもので、図１，図３に示すように、液晶パネル８の端縁を支持するフレーム上面の両端近傍箇所には、液晶パネル８の左右方向の位置決め凸部７ａ，７ａが形成されており、また、光拡散板５の端縁を挿入する横溝部７ｂも形成されている。斯かるランプフレーム７は、光反射板の役目を果たすように、白色の合成樹脂で成形されている。
【００２１】
液晶パネル８の裏面側に配置される光拡散板５は、光拡散剤を含んだ透明な合成樹脂で成形されたものであって、Ｕ字状冷陰極管３からの直射光や光反射シート２からの反射光を均一に拡散して液晶パネル８に照射し、表示面の輝度のバラツキをなくすものである。この光拡散板５の相対向する上下の長辺沿いには、図１，図４に示すように、セルガイドの役目をする枠部５ａ，５ａが一体成形されており、それぞれの枠部５ａの両端近傍箇所には液晶パネル８の上下方向の位置決め凸部５ｂ，５ｂが形成されている。この光拡散板５は、図２に示すように、光拡散板５の枠部５ａ，５ａをリアフレーム１の相対向する上下の長辺沿いの側板１ｄ，１ｄ（逆Ｕ字状に曲げ加工された二重側板）に載置すると共に、図３に示すように、光拡散板５の左右の端縁をランプフレーム７の前記横溝部７ａに内側から挿入することによって取付けられている。
【００２２】
図１，図２に示すように、光拡散板５の枠部５ａ，５ａの内側には、細長い遮光性のクッション材６，６が該枠部５ａ，５ａに沿って配置されており、このクッション材６，６によって液晶パネル８の上下の長辺沿いの端縁が支持されると共に、光拡散板５の枠部５ａの位置決め凸部５ｂによって液晶パネル８が上下方向に移動しないように位置決めされている。そして、液晶パネル８の左右の短辺沿いの端縁は、図３に示すように、ランプフレーム７，７の上面で支持されると共に、位置決め凸部７ａによって左右方向に移動しないように位置決めされている。
【００２３】
この液晶パネル８の長辺沿いの端縁には、二分割されたＸ−配線基板（Ｘ−ＰＣＢ）１０ａ，１０ｂが、ソースドライバＩＣチップを搭載した複数のチップオンフィルム（ＣＯＦ）１１を介して接続されており、また、液晶パネル８の短辺沿いの端縁には、ゲートドライバＩＣチップを搭載したチップオンフィルム（ＣＯＦ）１２を介してＹ−配線基板（Ｙ−ＰＣＢ）１３が接続されている。これらのＸ−配線基板１０ａ，１０ｂとＹ−配線基板１３は、リアフレーム1の一方の長辺沿いの二重側板１ｄと一方の短辺沿いの側板１ａの外面にそれぞれ固定されている。
【００２４】
液晶パネル８の四周縁とリアフレーム１の四周の側板は、長方形枠状に連結された長短４本の板金製のベゼル９ａ，９ａ，９ｂ，９ｂで取り囲まれており、これらのベゼル９ａ，９ａ，９ｂ，９ｂは、それぞれの連結部分で、光拡散板５の枠部５ａ，５ａと共にリアフレーム１の二重側板１ｄ，１ｄにビス止めされている。
【００２５】
光拡散板５の上記クッション材６，６より内側の表面には、本発明の特徴とするクッション材隠蔽用のスロープ部５ｃ，５ｃが一体形成されている。このスロープ部５ｃは、クッション材６に近づくほど高さが増すように傾斜する斜面５ｄを備えたもので、クッション材６に沿って光拡散板５の表面に細長い帯状に隆起して一体成形されており、図５に拡大して示すように、スロープ部５ｃの頂部５ｅは、液晶パネル８の表示面の視野角の範囲を示す仮想線Ｌ１から外側へ少し突き出している。尚、図５において、仮想線Ｌ２は液晶パネル８の表示範囲の端を示している。
【００２６】
この液晶モジュールは、上記のようなスロープ部５ｃを光拡散板５の表面に一体成形しているため、視野角の範囲を示す仮想線Ｌ１に沿って斜めから液晶パネル８の表示面を見た場合でも、クッション材６の視野に入る部分、即ち、クッション材６の上記仮想線Ｌ１の内側へ突入する部分が、スロープ部５ｃによって完全に隠蔽され、スロープ部５ｃから放出される拡散光が目に入るため、クッション材５が見えなくなる。そして、このスロープ部５ｃの斜面５ｄと光拡散板５の表面５ｆとの屈曲角度θが鈍角であるため屈曲エッジ５ｇが見えることもなく、また、クッション材６が遮光性であるため液晶パネル８の端縁から光が漏れることもない。従って、この液晶モジュールは、表示の品質が良好である。また、このようなスロープ部５ｃが一体成形されていると、クッション材６が光拡散板５の枠部５ａとスロープ部５ｃに挟まれて位置決めされる利点もある。
【００２７】
スロープ部５ｃの斜面５ｄの傾斜角度は特に限定されないが、傾斜角度が大きくなり過ぎると、スロープ部５ｃの斜面５ｄと光拡散板５の表面５ｆとの屈曲角度θが鈍角から直角に近づき、屈曲エッジ５ｇが液晶パネル８の表示面から見える恐れが出てくるので、斜面５ｄの傾斜角度を４５°以下として屈曲角度θを１３５°以上の鈍角に設定することが好ましい。
【００２８】
また、図６に示すように、スロープ部５ｃの斜面５ｄと光拡散板５の表面５ｇとの屈曲部分にアール５ｈを付けてもよく、このようなアール５ｈを付けると、上記の屈曲エッジ５ｇが消えて液晶パネル８の表示面から見える心配が完全になくなるので、表示の品質が一層向上する利点がある。
【００２９】
上記のようにスロープ部５ｃを光拡散板５の表面に一体成形しても、液晶パネル８の表示面に輝度のバラツキなどの悪影響が出る恐れは殆どないが、光拡散板５のスロープ部５ｃを一体成形した箇所はやや厚肉になるため、光拡散板５の光線透過率が局部的に若干低下し、液晶パネル８の表示面に僅かな輝度のバラツキが生じる可能性もある。その場合は、図７に示すように、光拡散板５のスロープ部５ｃを一体成形した箇所の裏面に凹入部５ｉを形成することが好ましく、このように凹入部５ｉを形成すると、スロープ部５ｃを一体成形した箇所の厚みの増加が抑えられて光線透過率の局部的な低下が防止されるため、液晶パネル８の表示面に輝度のバラツキが生じる恐れを解消できる利点がある。
【００３０】
前記実施形態の液晶モジュールでは、光拡散材を含んだ透明合成樹脂を用いて光拡散板５と枠部５ａを一体成形しているが、二色成形法によって、光拡散材を含まない遮光性の着色合成樹脂で枠部５ａを一体成形してもよく、このようにすると、枠部５ａから光が漏れる恐れを解消できる利点があるので好ましい。
【００３１】
また、前記実施形態の液晶モジュールでは、光拡散板５の相対向する上下の長辺に沿って枠部５ａ，５ａを一体成形し、この枠部５ａ，５ａに沿って配置されるクッション材６，６の内側にスロープ部５ｃ，５ｃを隆起させて一体成形しているが、図８に示すように、光拡散板５の四辺沿いに枠部５ａを一体成形すると共に、その内側にスロープ部５ｃを長方形枠状に隆起させて一体成形し、枠部５ａとスロープ部５ｃの間にクッション材を配置するように構成してもよい。その場合は、光拡散板５の四辺沿いの枠部５ａを、リアフレーム１の上下の二重側板１ｄ，１ｄとランプフレーム７，７に載置して、光拡散板５を取付けると共に、四辺沿いの各枠部５ａの両端近傍箇所に液晶パネル８の位置決め凸部５ｂ，５ｂを形成し、ランプフレーム７，７に形成される前記位置決め凸部７ａと前記横溝部７ｂを省略すればよい。
【符号の説明】
【００３２】
１    リアフレーム
２    光反射シート
３    Ｕ字状冷陰極管
５    光拡散板
５ａ  枠部
５ｃ  クッション材隠蔽用のスロープ部
５ｄ  スロープ部の斜面
５ｅ  スロープ部の頂部
５ｆ  光拡散板の表面
５ｈ  アール
５ｉ  凹入部
６    クッション材
７    ランプフレーム
８    液晶パネル
９ａ，９ｂ  ベゼル
Ｌ１  液晶パネルの表示面の視野角の範囲を示す仮想線
【図１】
2010282038.tif 000003
【図２】
2010282038.tif 000004
【図３】
2010282038.tif 000005
【図４】
2010282038.tif 000006
【図５】
2010282038.tif 000007
【図６】
2010282038.tif 000008
【図７】
2010282038.tif 000009
【図８】
2010282038.tif 000010
【図９】
2010282038.tif 000011